(57)【特許請求の範囲】
【請求項１】
機体前後方向に設けたロータリーフレーム（２７）にカバー部材を配設し、該カバー部材によりロータリー耕耘装置（４）の上部を覆った管理機（１）のロータリーカバー（５）において、該カバー部材は、左右対称に構成し、左右両カバー部材はそれぞれ機体横幅方向に配置された３枚の分割カバー部材である内カバー（６Ｒ・６Ｌ）・中カバー（７Ｒ・７Ｌ）・外カバー（８Ｒ・８Ｌ）から構成し、該分割カバー部材である内カバー（６Ｒ・６Ｌ）・中カバー（７Ｒ・７Ｌ）・外カバー（８Ｒ・８Ｌ）の間には、所定角度に回動して固定が可能な第一連結機構（１１）と第二連結機構（１２）を設け、該第一連結機構（１１）は、内カバー（６Ｒ）の外側端に設けた円筒状の内カバーボス部（１１ｂ）と、中カバー（７Ｒ）内側端に設けた円筒状の中カバー内側ボス部（１１ｃ）と、該内カバーボス部（１１ｃ）と前記中カバー内側ボス部（１１ｂ）との間に橋設した、口字状の第一リンク（１１ａ）とから構成されると共に、該リンク（１１ａ）外周面と前記両ボス部（１１ｂ・１１ｃ）内面との接触部には、手動では回動可能であるが、各カバーの自重、及び耕耘作業中の振動や跳ね上がる耕土の衝撃などでは回動不能な大きさの摩擦力が発生するようにし、該第二連結機構（１２）も第一連結機構（１１）と同様に、中カバー（７Ｒ）外側端に設けた円筒状の中カバー外側ボス部（１２ｂ）と、外カバー（８Ｒ）内側端に設けた円筒状の外カバーボス部（１２ｃ）と、該中カバー外側ボス部（１２ｂ）と外カバーボス部（１２ｃ）との間に橋設した、口字状の第二リンク（１２ａ）とから構成し、手動では回動可能であるが、各カバーの自重、及び耕耘作業中の振動や跳ね上がる耕土の衝撃では各カバーは回動不能とし、該中カバー（７Ｒ・７Ｌ）と外カバー（８Ｒ・８Ｌ）を手動で回動させたままで、回動時の角度に固定可能とし、前記ロータリーフレーム（２７）の下部に、後面視Ｖ字状の耕土付着防止部材（３７）を設けたことを特徴とする管理機のロータリーカバー。
【請求項２】
請求項１記載の管理機のロータリーカバーにおいて、前記耕土付着防止部材（４０）を、ロータリーフレーム（２７）に着脱自在に構成したことを特徴とする管理機のロータリーカバー。
【発明の詳細な説明】
【０００１】
【発明の属する技術分野】
本発明は、機体前後方向に設けたロータリーフレームにカバー部材を配設し、該カバー部材によりロータリー耕耘装置の上部を覆った管理機のロータリーカバーに関し、特に、ロータリーフレーム下部への耕土の付着防止構造、及び、カバー部材の角度調節構造に関する。
【０００２】
【従来の技術】
従来より、管理機では、ロータリー耕耘装置によって耕耘した耕土を、ロータリーカバーで案内して、畝状に成形したり、跳ね上げて溝を成形したりし、両側方へ耕土を跳ね上げる場合には、ロータリーカバーのカバー部材の開き角度を調節して、耕土を内面に当てて機体横方向に案内し、所望の高さに跳ね上げるようにしていた。その左右のカバー部材は機体前後方向の軸を中心に上方に回動させて開き、跳ね上げ角度を調節するようにしている。
【０００３】
【発明が解決しようとする課題】
しかし、ロータリー耕耘装置によって跳ね上げられた耕土は、ロータリーカバーの下面、特に、跳ね上げられた耕土が最初に衝突するロータリーフレームの下部に付着しやすく、堆積が進み堆積固化した耕土塊のため、ロータリーカバーによる耕土の流れ（以下「耕土流」とする）が阻害され、所望の位置まで跳ね上げることができなかったり、砕土性が悪くなるという問題があった。そして、この耕土塊のために、ロータリーカバー自体が重くなり、畦際でロータリー耕耘装置を持ち上げての機体旋回が難しくなる、という問題もあった。
【０００４】
また、前記カバー部材は、せいぜいメインカバーとサイドカバーの２枚から構成される場合が多く、耕土流のガイド方向の微調整が困難なため、たとえ、耕土流が阻害されずに流れても、必ずしも土壌の状況や作物の種類などに適した位置に所定量の耕土を落下させることができない、という問題があった。そして、この耕土流ガイド方向の微調整操作自体も容易でなく、設定に時間がかかり作業者にかかる負担も大きい、という問題があった。
【０００５】
【課題を解決するための手段】
本発明の解決しようとする課題は以上の如くであり、次にこの課題を解決するための手段を説明する。
【０００６】
請求項１においては、機体前後方向に設けたロータリーフレーム（２７）にカバー部材を配設し、該カバー部材によりロータリー耕耘装置（４）の上部を覆った管理機（１）のロータリーカバー（５）において、該カバー部材は、左右対称に構成し、左右両カバー部材はそれぞれ機体横幅方向に配置された３枚の分割カバー部材である内カバー（６Ｒ・６Ｌ）・中カバー（７Ｒ・７Ｌ）・外カバー（８Ｒ・８Ｌ）から構成し、該分割カバー部材である内カバー（６Ｒ・６Ｌ）・中カバー（７Ｒ・７Ｌ）・外カバー（８Ｒ・８Ｌ）の間には、所定角度に回動して固定が可能な第一連結機構（１１）と第二連結機構（１２）を設け、該第一連結機構（１１）は、内カバー（６Ｒ）の外側端に設けた円筒状の内カバーボス部（１１ｂ）と、中カバー（７Ｒ）内側端に設けた円筒状の中カバー内側ボス部（１１ｃ）と、該内カバーボス部（１１ｃ）と前記中カバー内側ボス部（１１ｂ）との間に橋設した、口字状の第一リンク（１１ａ）とから構成されると共に、該リンク（１１ａ）外周面と前記両ボス部（１１ｂ・１１ｃ）内面との接触部には、手動では回動可能であるが、各カバーの自重、及び耕耘作業中の振動や跳ね上がる耕土の衝撃などでは回動不能な大きさの摩擦力が発生するようにし、該第二連結機構（１２）も第一連結機構（１１）と同様に、中カバー（７Ｒ）外側端に設けた円筒状の中カバー外側ボス部（１２ｂ）と、外カバー（８Ｒ）内側端に設けた円筒状の外カバーボス部（１２ｃ）と、該中カバー外側ボス部（１２ｂ）と外カバーボス部（１２ｃ）との間に橋設した、口字状の第二リンク（１２ａ）とから構成し、手動では回動可能であるが、各カバーの自重、及び耕耘作業中の振動や跳ね上がる耕土の衝撃などでは回動不能とし、該中カバー（７Ｒ・７Ｌ）と外カバー（８Ｒ・８Ｌ）を手動で回動させたままで、回動時の角度に固定可能とし、前記ロータリーフレーム（２７）の下部に、後面視Ｖ字状の耕土付着防止部材（３７）を設けたものである。
【０００７】
請求項２においては、請求項１記載の管理機のロータリーカバーにおいて、前記耕土付着防止部材（４０）を、ロータリーフレーム（２７）に着脱自在に構成したものである。
【０００８】
【発明の実施の形態】
次に、本発明の実施の形態を添付の図面を用いて説明する。図１は本発明の管理機の左側面図、図２はロータリーカバーの上回動姿勢の斜視図、図３は同じく下回動姿勢の斜視図、図４はＶ字構造の斜視図、図５はＶ字構造を示すロータリーカバーの右背面図、図６は別形態のＶ字構造を示すロータリーカバーの右背面図、図７は耕土流の説明図である。
【０００９】
まず、管理機の全体構成について、図１により説明する。なお、図中の矢印６０で示す方向を機体前方とする。管理機１は前部のエンジンフレーム２０上にエンジン２が搭載され、該エンジン２の上部に燃料タンク２１が載置されている。前記エンジンフレーム２０はミッションケース３より前方に突設され、該ミッションケース３の入力軸６１、及び、前記エンジン２の出力軸６２にはそれぞれプーリー６３・６４が固設されて、ベルト６５を介して動力が伝達されるようにしてある。該出力軸６２と入力軸６１との間にはベルトテンション式の主クラッチ６６が配置され、図示せぬメインクラッチレバーにより操作され、このメインクラッチレバーや前記ベルト６５、プーリー６３・６４等は、伝動ケース２２によって覆われている。前記ミッションケース３の下部には車軸２４を軸支し、該車軸２４に車輪２５を固設して走行駆動できるようにしている。
【００１０】
また、ミッションケース３より後方下方に向かってはロータリ駆動パイプ２３を突設し、該ロータリ駆動パイプ２３の下端に耕耘爪軸２６を軸支し、該耕耘爪軸２６の軸上に複数本の耕耘爪が植設されている。そして、耕耘爪の先端の回動軌跡３０の上方及び側方は本発明に係わるロータリーカバー５により覆われ、該ロータリーカバー５は前記ミッションケース３より後方に突設されたロータリーフレーム２７に取り付けられて、耕耘した土を側方へ案内するようにしている。前記ロータリーフレーム２７の後端部には、取付固定ボス２９を固着し、ゲージ輪２８を取り付け、ロータリ耕耘装置４を構成している。
【００１１】
前記ミッションケース３の上部にはハンドルベース３１が設けられ、該ハンドルベース３１上にはハンドル３２の基部３２ａが鉛直方向の軸を中心に回動可能に載置され、該基部３２ａより上後方へハンドル３２が上下角度調節可能に突出されている。そして、基部３２ａには、ハンドル３２を前方または後方へ振り替えた位置で固定するためのロックレバー３４が配置されている。該ハンドル３２の中途部にはＰＴＯ入切レバー１９が設けられ、該ＰＴＯ入切レバー１９は、ワイヤー１７を介してＰＴＯ入切アーム５５と接続され、該ＰＴＯ入切アーム５５はミッションケース３内のＰＴＯ入切手段となるＰＴＯクラッチと連結されている。また、ハンドル３２の後部には、図示せぬメインクラッチレバーやサイドクラッチレバーやアクセルレバー等が配置されている。
【００１２】
前記ハンドルベース３１の左側近傍には主変速レバー３３が突出され、該主変速レバー３３の下方には副変速レバー６８が突出されている。また、ハンドルベース３１の右側近傍には前記ＰＴＯ入切アーム５５が配置され、このＰＴＯ入切アーム５５の下方には駐車ブレーキ機構を操作する駐車ブレーキレバー６７が突出されている。
【００１３】
次に、前記ロータリーカバー５の角度調節構造について説明する。図２、図３、図５に示すように、前記ロータリーフレーム２７を中心とし左右対称に、機体幅方向に内方から外方に向かって順に、左右一対の内カバー６Ｒ・６Ｌと、左右一対の中カバー７Ｒ・７Ｌと、左右一対の外カバー８Ｒ・８Ｌとが配設され、そのうち、内カバー６Ｒ・６Ｌと中カバー７Ｒ・７Ｌの前後端からは、それぞれタレカバー１３・１３とタレカバー１４・１４とが垂設され、ロータリー耕耘装置４により跳ね上がられた耕土が、機体や作業者にかからないようにしている。そして、前記内カバー６Ｒ・６Ｌは、ロータリーフレーム２７に対して、機体前後方向の軸芯回りに揺動自在なヒンジなどの連結具１０・１０を介して折曲自在に枢支連結されると共に、連結機構９を介して角度調節可能としている。
【００１４】
該連結機構９においては、内カバー６Ｒ・６Ｌ上面にそれぞれ前後一対の枢支部１６・１６が突設され、該枢支部１６・１６間には前後方向に支軸３６が横架され、該支軸３６にはスイングアーム１８の基部が枢結されている。該左右のスイングアーム１８・１８の先端側には長孔１８ａ・１８ａが開口され、該長孔１８ａ・１８ａは、ロータリーフレーム２７に立設した支持ポスト１５の上部で重合され、重なった長孔１８ａ・１８ａと支持ポスト１５上部のネジ孔１５ａには、調節つまみ３５のネジ部３５ａが螺挿されている。
【００１５】
このような構成において、調節つまみ３５を緩めた状態で、内カバー６Ｒ・６Ｌを連結具１０・１０を中心に回動すると、スイングアーム１８・１８はネジ部３５ａに沿って摺動し、所定の位置で調節つまみ３５を締め付けることにより、左右の内カバー６Ｒ・６Ｌを所定角度位置に固定することができる。
【００１６】
また、内カバー６Ｒ・６Ｌと中カバー７Ｒ・７Ｌとの間、及び中カバー７Ｒ・７Ｌと外カバー８Ｒ・８Ｌとの間には、第一連結機構１１と第二連結機構１２を介設している。該連結機構１１・１２は通常のヒンジ等から成る前記連結具１０とは異なり、中カバー７Ｒ・７Ｌと外カバー８Ｒ・８Ｌを手動で回動させたままで、回動時の角度に固定できるようにしている。なお、本実施例ではロータリーカバー５は左右略対称なので、右側の連結機構１１・１２により説明する。
【００１７】
つまり、第一連結機構１１は、内カバー６Ｒ外側端に設けた円筒状の内カバーボス部１１ｂと、中カバー７Ｒ内側端に設けた円筒状の中カバー内側ボス部１１ｃと、該中カバー内側ボス部１１ｃと前記内カバーボス部１１ｂとの間に橋設した口字状の第一リンク１１ａとから構成されると共に、該第一リンク１１ａ外周面と前記ボス部１１ｂ・１１ｃ内面との接触部には、手動では回動可能であるが、各カバーの自重、及び耕耘作業中の振動や跳ね上がる耕土の衝撃などでは回動不能な大きさの摩擦力が発生するようにしている。また、第二連結機構１２も第一連結機構１１と同様であり、中カバー７Ｒ外側端に設けた円筒状の  中カバー外側ボス部１２ｂと、外カバー８Ｒ内側端に設けた円筒状の外カバーボス部１２ｃと、該外カバーボス部１２ｃと前記中カバー外側ボス部１２ｂとの間に橋設した口字状の第二リンク１２ａとから構成されており、やはり、手動では回動可能であるが、各カバーの自重、及び耕耘作業中の振動や跳ね上がる耕土の衝撃などでは回動不能としている。
【００１８】
すなわち、カバー部材は、機体横幅方向に配置された３枚の分割カバー部材である内カバー６・中カバー７・外カバー８から構成し、該内カバー６・中カバー７・外カバー８間には、所定角度に回動して固定が可能な連結機構１１・１２を設けたので、カバー部材が２枚以下の場合に比べて各カバー部材の姿勢を更に細かく調節することができ、土壌の状況や作物の種類などに適した位置に所定量の耕土を落下させることができるのである。
【００１９】
また、第一連結機構１１と第二連結機構１２の連結部には、連結機構９ほど大きなモーメントが作用しないため、連結機構９のように、スイングアーム１８などの角度調節機構、及び調節つまみ３５などの固定機構よりなる複数の機構から構成する必要がなく、角度調節機構、固定機構とを兼用した単純な単一の機構としてもよい。
【００２０】
すなわち、第一連結機構１１と第二連結機構１２は、それぞれ単一の機構、本実施例では単純な回動機構のみから構成するので、耕土流のガイド方向の微調整を簡単に行うことができ、角度調節にかかる時間を短縮すると共に、作業者にかかる負担も軽減することができる。
【００２１】
次に、ロータリーカバー５の耕土付着防止構造について説明する。図４、図５に示すように、前記ロータリーフレーム２７下部には耕土付着防止部材３７を設ける。該耕土付着防止部材３７は上に開いた断面（後面）視略Ｖ字状を呈しており、その左右両側面３７ｄには、固定用の凹み３７ｂが形成され、該凹部３７ｂを貫通してロータリーフレーム２７下部までねじ孔を形成し、該ねじ孔にはボルトなどの締結具を螺挿して、耕土付着防止部材３７をロータリーフレーム２７下部に装着固定するようにしている。
【００２２】
このような構成において、耕耘作業を行うと、跳ね上げられた耕土による耕土流は、耕土付着防止部材３７下面に付着堆積することなく、先端部３７ａで切り込まれて左右に振り分けられ、そのまま、内カバー６Ｒ・６Ｌ内面→中カバー７Ｒ・７Ｌ内面→外カバー８Ｒ・８Ｌ内面の順でカバー部材内面に沿って機体横方向に案内され、所定位置に耕土が飛散落下される。
【００２３】
すなわち、機体前後方向に設けたロータリーフレーム２７にカバー部材を配設し、該カバー部材によりロータリー耕耘装置４の上部を覆った管理機１のロータリーカバー５において、前記ロータリーフレーム２７下部に、ロータリー耕耘装置４によって跳ね上げられた耕土の付着を防止する耕土付着防止構造を設けたので、ロータリー耕耘装置４によって跳ね上げられた耕土は、ロータリーフレーム２７の下部に付着せずにそのまま飛散され、耕土付着堆積による耕土塊形成を防止することができるため、耕土は耕土塊に阻害されずに均一に流れ、飛散方向を一定に維持して耕土分布の均一化を図ることができる。加えて、耕土塊蓄積によりロータリーカバー自体が重くなることも防止することができ、畦際でロータリー耕耘装置を持ち上げての機体旋回なども容易に行え、機体操作性を高めることができる。
【００２４】
しかも、前述の如く、カバー部材が機体横幅方向に配置された３枚の分割カバー部材６・７・８から構成され、該分割カバー部材６・７・８間に、所定角度に回動して固定が可能な連結機構１１・１２を設けると、カバー部材が２枚以下の場合に比べて各カバー部材の姿勢を更に細かく調節することができ、土壌の状況や作物の種類などに適した位置に所定量の耕土を落下させることができるため、耕土付着防止構造による耕土流の均一化と相まって、適正かつ均一で良好な耕土分布に得ることができる。
【００２５】
なお、耕土付着防止構造としては、本実施例では、いずれも耕土付着防止部材を別体として設けているが、ロータリーフレームに一体的に形成してもよく、特に限定されるものではない。
【００２６】
そして、前記耕土付着防止構造は、下方から上方に向かって開いたＶ字構造なので、図７に示すように、跳ね上げられた耕土による耕土流は、耕土付着防止部材３７下端に形成された先端部３７ａで切り込まれて左右に振り分けられ、側面３７ｄに沿って平行に流れる。そのため、耕土が付着しにくく、たとえ耕土が付着堆積しようとしても、付着した耕土は耕土流と一緒に押し流され、耕土付着を確実に防止することができるのである。
【００２７】
ここで、先端部３７ａの内角である先端角３７ｃが小さい場合、耕土流は、より鋭い先端部３７ａで切り込まれて左右に振り分けられるため、流速が低下することなく高速で側面３７ｄに沿って流れ、ロータリーフレーム２７への耕土付着は一層防止されるが、振り分けられた耕土流は、耕土付着防止部材３７による減速作用が小さく、そのまま内カバー６Ｒ・６Ｌ、中カバー７Ｒ・７Ｌ、外カバー８Ｒ・８Ｌの内面に高速で衝突する。そのため、耕耘作業や耕土の条件によっては、この衝突部に耕土が付着して堆積固化する。
【００２８】
一方、先端角３７ｃが大きすぎる場合、耕土流は、側面３７ｄに正面より衝突しやすく耕土付着が促進され、耕土塊が形成されて耕土流が阻害される。従って、先端角３７ｃは、耕耘作業や耕土の条件に応じて、適正な先端角３７ｃを選択する必要がある。なお、この先端角３７ｃ以外にも、衝突までの距離に相当して衝突速度に影響を及ぼす、地表から耕土付着防止部材３７までの高さについても、適正な値を選択する必要がある。
【００２９】
そこで、この先端角３７ｃ、高さなどを変更して適正化し、耕土付着防止効果を一層向上させるため、適正な耕土付着防止部材に簡単に取り替え可能な、より着脱性を向上させた別形態についても説明する。図６に示すように、ロータリーフレーム２７の下面より係止フック３８を垂設させると共に、耕土付着防止部材４０上部には係止溝４０ｂを形成し、着脱時には、該係止溝４０ｂを前記係止フック３８に沿って前後に摺動させることで、耕土付着防止部材４０をロータリーフレーム２７下面より自在に着脱可能な構成としている。
【００３０】
このような構成においては、耕耘作業途中に耕土の特性が変化した場合であっても、適正な先端角３７ｃ、高さを有する耕土付着防止部材４０を選択し、その場で係止フック３８に装着して、図示せぬ締結具で固定することができる。
【００３１】
すなわち、前記Ｖ字構造は、ロータリーフレーム２７に着脱自在なＶ字形状の耕土付着防止部材４０により構成されるので、耕土付着防止に適した耕土付着防止部材４０に短時間で取り替えることができ、作業を長く中断させずに済み、加えて、該耕土付着防止部材４０が損耗した際の交換も容易に行え、メンテナンス性も向上させることができる。
【００３２】
【発明の効果】
本発明は、以上の如く構成したので以下のような効果を奏する。
請求項１に記載の如く、機体前後方向に設けたロータリーフレーム（２７）にカバー部材を配設し、該カバー部材によりロータリー耕耘装置（４）の上部を覆った管理機（１）のロータリーカバー（５）において、該カバー部材は、左右対称に構成し、左右両カバー部材はそれぞれ機体横幅方向に配置された３枚の分割カバー部材である内カバー（６Ｒ・６Ｌ）・中カバー（７Ｒ・７Ｌ）・外カバー（８Ｒ・８Ｌ）から構成し、該分割カバー部材である内カバー（６Ｒ・６Ｌ）・中カバー（７Ｒ・７Ｌ）・外カバー（８Ｒ・８Ｌ）の間には、所定角度に回動して固定が可能な第一連結機構（１１）と第二連結機構（１２）を設け、該第一連結機構（１１）は、内カバー（６Ｒ）の外側端に設けた円筒状の内カバーボス部（１１ｂ）と、中カバー（７Ｒ）内側端に設けた円筒状の中カバー内側ボス部（１１ｃ）と、該内カバーボス部（１１ｃ）と前記中カバー内側ボス部（１１ｂ）との間に橋設した、口字状の第一リンク（１１ａ）とから構成されると共に、該リンク（１１ａ）外周面と前記両ボス部（１１ｂ・１１ｃ）内面との接触部には、手動では回動可能であるが、各カバーの自重、及び耕耘作業中の振動や跳ね上がる耕土の衝撃などでは回動不能な大きさの摩擦力が発生するようにし、該第二連結機構（１２）も第一連結機構（１１）と同様に、中カバー（７Ｒ）外側端に設けた円筒状の中カバー外側ボス部（１２ｂ）と、外カバー（８Ｒ）内側端に設けた円筒状の外カバーボス部（１２ｃ）と、該中カバー外側ボス部（１２ｂ）と外カバーボス部（１２ｃ）との間に橋設した、口字状の第二リンク（１２ａ）とから構成し、手動では回動可能であるが、各カバーの自重、及び耕耘作業中の振動や跳ね上がる耕土の衝撃などでは回動不能とし、該中カバー（７Ｒ・７Ｌ）と外カバー（８Ｒ・８Ｌ）を手動で回動させたままで、回動時の角度に固定可能とし、前記ロータリーフレーム（２７）の下部に、後面視Ｖ字状の耕土付着防止部材（３７）を設けたので、カバー部材が２枚以下の場合に比べて各カバー部材の姿勢を更に細かく調節することができ、土壌の状況や作物の種類などに適した位置に所定量の耕土を落下させることができ、耕土付着防止構造による耕土流の均一化と相まって、適正かつ均一で良好な耕土分布に得ることができる。
また、カバー部材が２枚以下の場合に比べて各カバー部材の姿勢を更に細かく調節することができ、土壌の状況や作物の種類などに適した位置に所定量の耕土を落下させることができる。
【００３３】
また、前記ロータリーフレーム（２７）の下部に、後面視Ｖ字状の耕土付着防止部材（３７）を設けたので、ロータリー耕耘装置によって跳ね上げられた耕土は、ロータリーフレームの下部に付着せずにそのまま飛散され、耕土付着堆積による耕土塊形成を防止することができるため、耕土は耕土塊に阻害されずに均一に流れ、飛散方向を一定に維持して耕土分布の均一化を図ることができる。加えて、耕土塊蓄積のためにロータリーカバー自体が重くなることも防止することができ、畦際でロータリー耕耘装置を持ち上げての機体旋回なども容易に行え、機体操作性を高めることができるものである。
また、跳ね上げられた耕土による耕土流は、耕土付着防止部材下端に形成された先端部で切り込まれて左右に振り分けられ、側面に沿って平行に流れる。そのため、耕土が付着しにくく、たとえ耕土が付着堆積しようとしても、付着した耕土は耕土流と一緒に押し流され、耕土付着を確実に防止することができるのである。
【００３４】
請求項２においては、前記耕土付着防止部材（４０）を、ロータリーフレームに着脱自在に構成したので、耕土付着防止に適した耕土付着防止部材に短時間で取り替えることができ、作業を長く中断させずに済み、加えて、該耕土付着防止部材が損耗した際の交換も容易に行え、メンテナンス性も向上させることができる。
【図面の簡単な説明】
【図１】  本発明の管理機の左側面図である。
【図２】  ロータリーカバーの上回動姿勢の斜視図である。
【図３】  同じく下回動姿勢の斜視図である。
【図４】  Ｖ字構造の斜視図である。
【図５】  Ｖ字構造を示すロータリーカバーの右背面図である。
【図６】  別形態のＶ字構造を示すロータリーカバーの右背面図である。
【図７】  耕土流の説明図である。
【符号の説明】
１  管理機
４  ロータリー耕耘装置
５  ロータリーカバー
６Ｒ・６Ｌ・７Ｒ・７Ｌ・８Ｒ・８Ｌ  分割カバー部材
１１・１２  連結機構
２７  ロータリーフレーム
３７・４０  耕土付着防止部材
【図１】
0004427181.tif 000002
【図２】
0004427181.tif 000003
【図３】
0004427181.tif 000004
【図４】
0004427181.tif 000005
【図５】
0004427181.tif 000006
【図６】
0004427181.tif 000007
【図７】
0004427181.tif 000008